(57)【要約】【課題】  本発明はボルトに挿入して、締付け方向に回転させることにより、ボルトのねじ部に少なくとも３個以上のナットセグメントが螺合するとともに、ナットセグメントを収納したナット本体を常時螺合方向に付勢してナットセグメントの遊びをなくし、確実な螺合状態を保つことができるナットを得るにある。【解決手段】  ボルトの挿入後螺合方向へ回転させると挿入されたボルトのねじ部と螺合する少なくとも３個以上のナットセグメントナットセグメント付勢スプリングが収納されたナット本体と、このナット本体の上部を除く外周部に上端部がナット本体と一体になって回転するように取付けられたスプリングケースと、このスプリングケースの下部に回転可能に取付けられた座金と、スプリングケース内に収納された一端部が該スプリングケースあるいはナット本体に他端部が座金にナット本体をボルトに螺合させると螺合方向に常時付勢できるように取付けられたナット本体付勢スプリングとでナットを構成している。【選択図】  図４
2006226422.tif 000002
【特許請求の範囲】
【請求項１】
ボルトの挿入後、螺合方向へ回転させると挿入されたボルトのねじ部と螺合する少なくとも３個以上のナットセグメントおよび、該ナットセグメントを付勢するナットセグメント付勢スプリングが収納されたナット本体と、このナット本体の上部を除く外周部に上端部が該ナット本体と一体になって回転するように取付けられたスプリングケースと、このスプリングケースの下部に回転可能に取付けられた座金と、前記スプリングケース内に収納された一端部が該スプリングケースあるいはナット本体に、他端部が前記座金にナット本体をボルトに螺合させると螺合方向に常時付勢できるように取付けられたナット本体付勢スプリングとからなることを特徴とするナット。
【請求項２】
ボルトの挿入後、螺合方向へ回転させると挿入されたボルトのねじ部と螺合する少なくとも３個以上のナットセグメントおよび、該ナットセグメントを付勢するナットセグメント付勢スプリングが収納されたナット本体と、このナット本体の下部外周部に回転可能に上端部が取付けられたスプリングケースと、このスプリングケースの下部に一体あるいは別体で固定的に設けられた座金と、前記スプリングケース内に収納された一端部が前記ナット本体に、他端部が前記座金あるいはスプリングケースにナット本体をボルトに螺合させると螺合方向に常時付勢できるように取付けられたナット本体付勢スプリングとからなることを特徴とするナット。
【請求項３】
ボルトの挿入後、螺合方向へ回転させると挿入されたボルトのねじ部と螺合する少なくとも３個以上のナットセグメントおよび、該ナットセグメントを付勢するナットセグメント付勢スプリングが収納されたナット本体と、このナット本体の上部を除く外周部に固定的に取付けられたスプリング支持板と、このスプリング支持板との間に隙間を介して前記ナット本体の下部に回転可能に取付けられた座金と、この座金と前記スプリング支持板との間に収納された一端部が該スプリング支持板に、他端部が前記座金にナット本体をボルトに螺合させると螺合方向に常時付勢できるように取付けられたナット本体付勢スプリングと
からなることを特徴とするナット。
【発明の詳細な説明】
【技術分野】
【０００１】
本発明はボルトに挿入した後、回転させることによりボルトのねじ部と螺合するナットセグメントを備えるナットに関する。
【背景技術】
【０００２】
従来のこの種のナットは外壁が多角形状に形成され、内壁に順次小径寸法となる傾斜孔を有するナット本体と、このナット本体の大径側の端部に形成されたボルト挿入孔を有するストッパー片と、前記ナット本体の内壁面の軸心方向に形成された、少なくとも３個以上のガイド片と、これらのガイド片間に軸心方向にスライド移動可能に取付けられた内壁面にボルトと螺合されるねじ山が形成された少なくとも３個以上のナットセグメントと、前記ナット本体の小径側の端部に固定された、前記少なくとも３個以上のナットセグメントの抜け脱を防止するとともに、該ナット本体の外周部よりも外方に突出するフランジ状の取付片と、前記少なくとも３個以上のナットセグメントを常時前記ナット本体の小径側に付勢するように、該ナット本体内に収納された付勢スプリングとで構成されている。
【０００３】
このように構成されたナットはボルトに挿入して、締付け方向に回転させることにより、ボルトのねじ部に３個のナットセグメントが螺合するが、常にねじ山１個分のクリアーがあったり、なかったりするという欠点があった。
【特許文献１】特開平１１−７２１１０
【発明の開示】
【発明が解決しようとする課題】
【０００４】
本発明は以上のような従来の欠点に鑑み、ボルトに挿入して、締付け方向に回転させることにより、ボルトのねじ部に少なくとも３個以上のナットセグメントが螺合するとともに、ナットセグメントを収納したナット本体を常時螺合方向に付勢してナットセグメントの遊びをなくし、確実な螺合状態を保つことができるナットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はボルトの挿入後、螺合方向へ回転させると挿入されたボルトのねじ部と螺合する少なくとも３個以上のナットセグメントおよび、該ナットセグメントを付勢するナットセグメント付勢スプリングが収納されたナット本体と、このナット本体の上部を除く外周部に上端部が該ナット本体と一体になって回転するように取付けられたスプリングケースと、このスプリングケースの下部に回転可能に取付けられた座金と、前記スプリングケース内に収納された一端部が該スプリングケースあるいはナット本体に、他端部が前記座金にナット本体をボルトに螺合させると螺合方向に常時付勢できるように取付けられたナット本体付勢スプリングとでナットを構成している。
【発明の効果】
【０００７】
以上の説明から明らかなように、本発明にあっては次に列挙する効果が得られる。
【０００８】
（１）ボルトの挿入後、螺合方向へ回転させると挿入されたボルトのねじ部と螺合する少なくとも３個以上のナットセグメントおよび、該ナットセグメントを付勢するナットセグメント付勢スプリングが収納されたナット本体と、このナット本体の上部を除く外周部に上端部が該ナット本体と一体になって回転するように取付けられたスプリングケースと、このスプリングケースの下部に回転可能に取付けられた座金と、前記スプリングケース内に収納された一端部が該スプリングケースあるいはナット本体に、他端部が前記座金にナット本体をボルトに螺合させると螺合方向に常時付勢できるように取付けられたナット本体付勢スプリングとで構成されているので、ナット本体付勢スプリングによって自動的にボルトに挿入し、締付け方向に螺合させることにより、ボルトのねじ部に少なくとも３個以上のナットセグメントが螺合するとともに、螺合したナットセグメントを常時締付け方向にナット本体を付勢することができる。
したがって、従来のようにねじ山１個分のクリアーがあったり、なかったりするような不具合を解消して、確実な螺合状態を保つことができるとともに、ナットの緩みを確実の防止することができる。
【０００９】
（２）前記（１）によって、ナット本体に取付けられているため、取り扱いが容易で、従来のナットと同様に使用することができる。
【００１０】
（３）前記（１）によって、スプリングケースとナット本体付勢スプリングを追加するだけでよく、容易に製造することができる。
【００１１】
（４）請求項２、３も前記（１）〜（３）と同様な作用効果が得られる。
【発明を実施するための最良の形態】
【００１２】
以下、図面に示す本発明を実施するための最良の形態により、本発明を詳細に説明する。
【００１３】
図１ないし図１２に示す本発明を実施するための最良の第１の形態において、１は本発明のナットで、このナット１はボルト２の挿入後、螺合方向へ回転させると挿入されたボルト２のねじ部３と螺合する少なくとも３個以上のナットセグメント４、４、４および、該ナットセグメント４、４、４を付勢するナットセグメント付勢スプリング５が収納されたナット本体６と、このナット本体６の上部を除く外周部に上端部が該ナット本体６と一体になって回転するように取付けられたスプリングケース７と、このスプリングケース７の下部に回転可能に取付けられた座金８と、前記スプリングケース７内に収納された一端部が該スプリングケース７あるいはナット本体６に、他端部が前記座金８にナット本体６をボルト２に螺合させると螺合方向に常時付勢できるように取付けられたぜんまいばねあるいはコイルスプリング状のナット本体付勢スプリング９とで構成されている。
【００１４】
前記ナット本体６は図１ないし図７に示すように外壁１０が多角、本発明を実施する形態では六角形状に形成され、内壁１１に順次小径寸法となる傾斜孔１２を有するナットケース１３と、このナットケース１３の大径側の端部にカシメ固定されたボルト挿入孔１４を有するストッパー片１５と、前記ナットケース１３の内壁１１の軸心方向に形成された少なくとも３個以上、本発明を実施する形態では３個のガイド片１６、１６、１６と、これらのガイド片１６、１６、１６間に軸心方向にスライド移動可能に取付けられた内壁１１にボルト２と螺合されるねじ山１７が形成された３個のナットセグメント４、４、４と、前記ナットケース１３の小径側に一体形成されたナットセグメントの抜け脱防止片１８と、前記ナットケース１３の小径側の外周部に形成された、前記スプリングケース７のスプリングケース挿入部１９と、前記３個のナットセグメント４、４、４を常時前記ナットケース１３のナットセグメントの抜け脱防止片１８方向へ付勢するように、該ナットケース１３内に収納されたナットセグメント付勢スプリング５とで構成されている。
【００１５】
前記スプリングケース７は図８に示すように、上面中央部に前記ナットケース１３のスプリングケース挿入部１９が回動不能に挿入される六角形状の挿入孔２０が形成された上面板２１と、この上面板２１の外周部に下方へ突出するように一体形成された下部が外方へ突出するフランジ２２を有する外周壁２３とで形成されている。
【００１６】
前記座金８は図９に示すように、中央部にボルト挿入孔２４が形成された前記スプリングケース７の下部開口部７ａを覆う座金本体２５と、この座金本体２５の外周部に形成された、前記スプリングケース７のフランジ部２２と係合させて該座金本体２５を回転可能に取付ける曲げ加工される複数個の係合片２６、２６、２６とで構成されている。
【００１７】
前記ナット本体付勢スプリング９は図１０に示すように、前記ナット本体６をボルト２に挿入し、締付け方向にナット本体６を回転させることにより、ナット本体６を締付け方向へ回動できるように付勢力を付与できるように一端部がスプリングケース７に固定された固定ピン２７に固定され、２回程巻き付けられた他端部が座金８に固定された固定ピン２８にスプリングケース７の内壁面との間に遊びを有するように固定されている。
【００１８】
上記構成のナット１は図１１に示すように、木材２９、２９を固定する部位に取付けられたボルト２に挿入し、木材２９に当接させる。この時、ナットセグメント付勢スプリング５の付勢力に抗して、ナットセグメント４、４、４は傾斜孔１２の大径側へスライド移動し、ボルト２の侵入を可能にする。
次に、ナット本体６のナットケース１３をスパナ等を用いて締付け方向に回転させることにより、図１２に示すようにボルト２のねじ部３とナットセグメント４、４、４のねじ山１７、１７、１７が螺合し、木材２９、２９を締付け固定するとともに、ナット本体付勢スプリング９に付勢力が付与される。
このため、このナット本体付勢スプリング９の付勢力によって、ナット本体６が常時締付け方向に回動するように付勢し、ナットセグメント４、４、４の遊びをなくし、確実な螺合状態を保つことができる。
[発明を実施するための異なる形態]
【００１９】
次に、図１３ないし図３３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１３ないし図１５に示す本発明を実施するための第２の形態において、前記本発明を実施するための最良の第１の形態と主に異なる点は、上面板２１の内底面に外周部に複数個、本発明を実施する形態では２個のラチェット歯状の係止部３０、３０を形成したナットケース１３Ａを用い、ナット本体６の締付け方向の回転時にはナット本体付勢スプリング９の一端部は係止部３０、３０と係止することなく回転し、締付け固定後の逆回転で係止部３０、３０と係止してナット本体付勢スプリング９に付勢力を付与して、少し締付け方向に回転させることにより、該付勢力をナット本体６に付与できるように構成した点で、このように構成したナット１Ａにしても、前記本発明を実施するための最良の第１の形態と同様な作用効果が得られる。
【００２１】
図１６ないし図１８に示す本発明を実施するための第３の形態において、前記本発明を実施するための第２の形態と主に異なる点は、係止部３０、３０が形成された上面板２１と、座金８の外周部に一体形成された外周壁３１とからなるスプリングケース７Ａを用い、該スプリングケース７Ａの外周壁３１と上面板２１とを回転可能に取付けた点で、このように構成したナット１Ｂにしても、前記本発明を実施するための第２の形態と同様な作用効果が得られる。
【００２２】
図１９ないし図２１に示す本発明を実施するための第４の形態において、前記本発明を実施するための最良の第１の形態と主に異なる点は、ナットケース１３Ｂの下部寄りの部位に回転可能にスプリングケース７Ｂを取付けるとともに、該スプリングケース７Ｂの下部に座金８を固定的に取付け、ナット本体付勢スプリング９の一端部をナットセグメントの抜け脱防止片１８にピン２７で固定し、他端部を座金８あるいはスプリングケース７Ｂにピン２８で固定した点で、このように構成したナット１Ｃにしても、前記本発明を実施するための最良の第１の形態と同様な作用効果が得られる。
【００２３】
図２２ないし図２４に示す本発明を実施するための第５の形態において、前記本発明を実施するための第２の形態と主に異なる点は、ナットケース１３Ｂの下部寄りの部位に回転可能にスプリングケース７Ｂを取付けるとともに、ナットケース１３Ｂの下端部にナットセグメントの抜け脱防止片１８と係止部３０、３０が形成された取付片３２を固定し、該取付片３２の係止部３０、３０にナット本体付勢スプリング９の一端部が係止するように構成した点で、このように構成したナット１Ｄにしても、前記本発明を実施するための第２の形態と同様な作用効果が得られる。
【００２４】
図２５ないし図２７に示す本発明を実施するための第６の形態において、前記本発明を実施するための第２の形態と主に異なる点は、底面に締付け時に木材２９の食い込む少なくとも１以上の食い込み片３３あるいはビス挿入孔３４が形成された座金８Ａと、この座金８Ａの上面に係止部３０、３０が形成され、ナット本体付勢スプリング９の一端部をナットケース１３Ａに固定ピン２７で固定し、他端部を座金８Ａの係止部３０、３０へ係止できるようにした点で、このように構成したナット１Ｅにしても、前記本発明を実施するための第２の形態と同様な作用効果が得られる。
【００２５】
図２８ないし図３０に示す本発明を実施するための第７の形態において、前記本発明を実施するための第３の形態と主に異なる点は、スプリングケース７Ａの外周壁３１の内壁面にラチェット歯形状の多数個の係止部３０Ａを形成し、ナット本体付勢スプリング９の一端部を上面板２１あるいはナットケース１３に固定ピン２７で固定し、他端部を前記係止部３０Ａと係止するように取付けた点で、このように構成したナット１Ｆにしても、前記本発明を実施するための第３の形態と同様な作用効果が得られる。
【００２６】
図３１ないし図３３に示す本発明を実施するための第８の形態において、前記本発明を実施するための第５の形態と主に異なる点は、ナットケース１３Ｂの下部寄りの部位に底面に複数個の係止部３０が形成されたスプリング支持板３５を固定的に取付け、ナットケース１３Ｂの下端部に底面に締付け時に木材２９の食い込む少なくとも１個以上のの食い込み片３３あるいはビス挿入孔３４が形成された座金８Ａを回転可能に取付けるとともに、前記スプリング支持板３５と座金８Ａとの間に位置するナット本体付勢スプリング９の一端部を前記スプリング支持板３５の係止部３０に係止させ、他端部を前記座金８Ａに取付けた点で、このように構成したナット１Gにしても、前記本発明を実施するための第５の形態と同様な作用効果が得られる。
【産業上の利用可能性】
【００２７】
本発明はナットを製造する産業で利用される。
【図面の簡単な説明】
【００２８】
【図１】本発明を実施するための最良の第１の形態の平面図。
【図２】本発明を実施するための最良の第１の形態の正面図。
【図３】本発明を実施するための最良の第１の形態の底面図。
【図４】図１の４−４線に沿う断面図。
【図５】図２の５−５線に沿う断面図。
【図６】本発明を実施するための最良の第１の形態のナット本体の平面図。
【図７】図６の７−７線に沿う断面図。
【図８】本発明を実施するための最良の第１の形態のスプリングケースの説明図。
【図９】本発明を実施するための最良の第１の形態の座金の説明図。
【図１０】図２の１０−１０線に沿う断面図。
【図１１】本発明を実施するための最良の第１の形態の使用状態の説明図。
【図１２】本発明を実施するための最良の第１の形態の締付け状態の説明図。
【図１３】本発明を実施するための第２の形態の平面図。
【図１４】図１３の１４−１４線に沿う断面図。
【図１５】本発明を実施するための第２の形態の要部説明図。
【図１６】本発明を実施するための第３の形態の平面図。
【図１７】図１６の１７−１７線に沿う断面図。
【図１８】本発明を実施するための第３の形態の要部説明図。
【図１９】本発明を実施するための第４の形態の平面図。
【図２０】図１９の２０−２０線に沿う断面図。
【図２１】本発明を実施するための第４の形態の要部説明図。
【図２２】本発明を実施するための第５の形態の平面図。
【図２３】図２２の２３−２３線に沿う断面図。
【図２４】本発明を実施するための第５の形態の要部説明図。
【図２５】本発明を実施するための第６の形態の平面図。
【図２６】図２５の２６−２６線に沿う断面図。
【図２７】本発明を実施するための第６の形態の要部説明図。
【図２８】本発明を実施するための第７の形態の平面図。
【図２９】図２８の２９−２９線に沿う断面図。
【図３０】本発明を実施するための第７の形態の要部説明図。
【図３１】本発明を実施するための第８の形態の平面図。
【図３２】図３１の３２−３２線に沿う断面図。
【図３３】本発明を実施するための第８の形態の要部説明図。
【符号の説明】
【００２９】
１、１Ａ、１Ｂ、１Ｃ、１Ｄ、１Ｅ、１Ｆ、１G：ナット、
２：ボルト、                                                ３：ねじ部、
４：ナットセグメント、
５：ナットセグメント付勢スプリング、
６：ナット本体、                            ７、７Ａ、７Ｂ：スプリングケース、
８、８Ａ：座金、                            ９：ナット本体付勢スプリング、
１０：外壁、                                                １１：内壁、
１２：傾斜孔、                                １３、１３Ａ、１３Ｂ：ナットケース、
１４：ボルト挿入孔、                    １５：ストッパー片、
１６：ガイド片、                            １７：ねじ山、
１８：ナットセグメントの抜け脱防止片、
１９：スプリングケース挿入部、            ２０：挿入孔、
２１：上面板、                                ２２：フランジ、
２３：外周壁、                                ２４：ボルト挿入孔、
２５：座金本体、                            ２６：係合片、
２７：固定ピン、                            ２８：固定ピン、
２９：木材、                                                ３０、３０Ａ：係止部、
３１：外周壁、                                ３２：取付片、
３３：食い込み片、                                    ３４：ビス挿入孔、
３５：スプリング支持板。
【図１】
2006226422.tif 000003
【図２】
2006226422.tif 000004
【図３】
2006226422.tif 000005
【図４】
2006226422.tif 000006
【図５】
2006226422.tif 000007
【図６】
2006226422.tif 000008
【図７】
2006226422.tif 000009
【図８】
2006226422.tif 000010
【図９】
2006226422.tif 000011
【図１０】
2006226422.tif 000012
【図１１】
2006226422.tif 000013
【図１２】
2006226422.tif 000014
【図１３】
2006226422.tif 000015
【図１４】
2006226422.tif 000016
【図１５】
2006226422.tif 000017
【図１６】
2006226422.tif 000018
【図１７】
2006226422.tif 000019
【図１８】
2006226422.tif 000020
【図１９】
2006226422.tif 000021
【図２０】
2006226422.tif 000022
【図２１】
2006226422.tif 000023
【図２２】
2006226422.tif 000024
【図２３】
2006226422.tif 000025
【図２４】
2006226422.tif 000026
【図２５】
2006226422.tif 000027
【図２６】
2006226422.tif 000028
【図２７】
2006226422.tif 000029
【図２８】
2006226422.tif 000030
【図２９】
2006226422.tif 000031
【図３０】
2006226422.tif 000032
【図３１】
2006226422.tif 000033
【図３２】
2006226422.tif 000034
【図３３】
2006226422.tif 000035